(57)【要約】【課題】押出ピンを用いた局部加圧を有効に活用できる成形機を提供する。【解決手段】ダイカストマシン１は、金型１０１の内部に対して共に進退可能な複数の押出ピン３１と、複数の押出ピン３１を駆動可能な電動機４１と、複数の押出ピン３１の位置を検出可能な位置センサ５７と、複数の押出ピン３１が金型内部の成形材料に付与する圧力を検出可能な力センサ５９と、画像を表示可能な表示装置１５と、電動機４１及び表示装置１５を制御する制御装置１３と、を有している。制御装置１３は、射出開始後かつ型開き前に複数の押出ピン３１を金型１０１の内部側へ前進させる駆動力を生じるように電動機４１を制御する駆動制御部６３と、位置センサ５７が検出した位置と力センサ５９が検出した圧力とを共通の時間軸に沿って表示するように表示装置１５を制御する表示制御部６５と、を有している。【選択図】図６
2018079485.tif 000002
【特許請求の範囲】
【請求項１】
金型に対して共に移動可能な複数の押出ピンと、
前記複数の押出ピンを駆動可能な電動機と、
前記複数の押出ピンの位置を検出可能な位置センサと、
前記複数の押出ピンが成形材料に付与する圧力を検出可能な圧力センサと、
画像を表示可能な表示装置と、
前記電動機及び前記表示装置を制御する制御装置と、
を有しており、
前記制御装置が、
射出開始後かつ型開き前に前記複数の押出ピンを金型内部側へ前進させる駆動力を生じるように前記電動機を制御する駆動制御部と、
前記位置センサが検出した位置と前記圧力センサが検出した圧力とを共通の時間軸に沿って表示するように前記表示装置を制御する表示制御部と、を有している
成形機。
【請求項２】
前記表示制御部が、前記位置センサの検出値に基づく前記複数の押出ピンの速度を前記時間軸に沿って表示するように前記表示装置を制御する
請求項１に記載の成形機。
【請求項３】
前記表示制御部が、前記圧力センサが検出した圧力が所定の閾値以上となってからの前記位置センサの検出値に基づく前記複数の押出ピンの金型内部側への移動量を数値で表示するように前記表示装置を制御する
請求項１または２に記載の成形機。
【請求項４】
入力操作がなされる入力装置を更に有しており、
前記駆動制御部が、前記入力操作により指定されたタイミングで前記複数の押出ピンの前進を開始するように前記電動機を制御する
請求項１〜３のいずれか１項に記載の成形機。
【請求項５】
入力操作がなされる入力装置を更に有しており、
前記駆動制御部が、前記入力操作により指定された速度で前記複数の押出ピンが前進するように前記電動機を制御する
請求項１〜４のいずれか１項に記載の成形機。
【請求項６】
入力操作がなされる入力装置を更に有しており、
前記駆動制御部が、前記入力操作により指定された圧力で前記複数の押出ピンが金型内部の成形材料を加圧するように前記電動機を制御する
請求項１〜５のいずれか１項に記載の成形機。
【請求項７】
前記駆動制御部が、前記圧力センサが検出した圧力が所定の閾値以上となってからの前記位置センサの検出値に基づく前記複数の押出ピンの金型内部側への移動量に応じて、前記複数の押出ピンの前進開始タイミング、前記複数の押出ピンの速度及び前記複数の押出ピンが成形材料に付与する力の少なくともいずれか一つを変更する
請求項１〜６のいずれか１項に記載の成形機。
【発明の詳細な説明】
【技術分野】
【０００１】
本開示は、液状又は固液共存状態の成形材料を金型内に射出して成形する成形機に関する。成形機は、例えば、ダイカストマシンやプラスチック射出成形機である。
【背景技術】
【０００２】
金型内に成形材料を射出した後、加圧ピンによって金型内の成形材料を加圧する成形機が知られている（特許文献１）。加圧ピンによって局部加圧を行うことにより、例えば、成形材料の凝固収縮に伴って生じるひけ巣などの巣を低減することができる。特許文献１は、加圧ピンをサーボモータで駆動すること、時間軸に沿った圧力フィードバック制御によってサーボモータを制御すること、加圧開始タイミングとして種々のパラメータを基準としてよいことなどを開示している。
【０００３】
特許文献２は、加圧ピンに代えて、押出ピンを用いることを提案している。押出ピンは、本来、金型内で成形材料が凝固して成形品が形成された後、金型から成形品を引き剥がすためのものであり、型開きの際または型開き後に、金型内面から突出するように駆動される。このような押出ピンを加圧ピンとして利用することによって、例えば、加圧ピン及びその駆動機構を金型背面に確保することが困難な場合においても局部加圧を行うことが可能になる。
【先行技術文献】
【特許文献】
【０００４】
【特許文献１】特開２００８−１４２７５８号公報
【特許文献２】特開平５−１２３８４７号公報
【発明の概要】
【発明が解決しようとする課題】
【０００５】
特許文献１の成形機において、局部加圧を好適に行うためには、例えば、オペレータは、圧力制御のパラメータ等を種々設定しつつ、成形品の試作と、その試作品の品質検査とを繰り返し、好適なパラメータを見つけなければならない。その結果、例えば、オペレータの負担が大きく、局部加圧の機能を有効に活用できないおそれがある。さらに、加圧ピンとして押出ピンを用いた場合においては、上記のような活用において特有の課題が生じるおそれもある。そこで、押出ピンを用いた局部加圧を有効に活用できる成形機が提供されることが望まれる。
【課題を解決するための手段】
【０００６】
本開示の一態様に係る成形機は、金型に対して共に移動可能な複数の押出ピンと、前記複数の押出ピンを駆動可能な電動機と、前記複数の押出ピンの位置を検出可能な位置センサと、前記複数の押出ピンが成形材料に付与する圧力を検出可能な圧力センサと、画像を表示可能な表示装置と、前記電動機及び前記表示装置を制御する制御装置と、を有しており、前記制御装置が、射出開始後かつ型開き前に前記複数の押出ピンを金型内部側へ前進させる駆動力を生じるように前記電動機を制御する駆動制御部と、前記位置センサが検出した位置と前記圧力センサが検出した圧力とを共通の時間軸に沿って表示するように前記表示装置を制御する表示制御部と、を有している。
【０００７】
好適には、前記表示制御部が、前記位置センサの検出値に基づく前記複数の押出ピンの速度を前記時間軸に沿って表示するように前記表示装置を制御する。
【０００８】
好適には、前記表示制御部が、前記圧力センサが検出した圧力が所定の閾値以上となってからの前記位置センサの検出値に基づく前記複数の押出ピンの金型内部側への移動量を数値で表示するように前記表示装置を制御する。
【０００９】
好適には、入力操作がなされる入力装置を更に有しており、前記駆動制御部が、前記入力操作により指定されたタイミングで前記複数の押出ピンの前進を開始するように前記電動機を制御する。
【００１０】
好適には、入力操作がなされる入力装置を更に有しており、前記駆動制御部が、前記入力操作により指定された速度で前記複数の押出ピンが前進するように前記電動機を制御する。
【００１１】
好適には、入力操作がなされる入力装置を更に有しており、前記駆動制御部が、前記入力操作により指定された圧力で前記複数の押出ピンが金型内部の成形材料を加圧するように前記電動機を制御する。
【００１２】
好適には、前記駆動制御部が、前記圧力センサが検出した圧力が所定の閾値以上となってからの前記位置センサの検出値に基づく前記複数の押出ピンの金型内部側への移動量に応じて、前記複数の押出ピンの前進開始タイミング、前記複数の押出ピンの速度及び前記複数の押出ピンが成形材料に付与する力の少なくともいずれか一つを変更する。
【発明の効果】
【００１３】
本開示によれば、押出ピンを用いた局部加圧を有効に活用することが容易化される。
【図面の簡単な説明】
【００１４】
【図１】本開示の実施形態に係るダイカストマシンの要部構成を示す模式図。
【図２】図１のダイカストマシンの金型及びその周辺における要部構成を示す模式図。
【図３】図２の一部拡大図。
【図４】図１のダイカストマシンの信号処理系の構成を示すブロック図。
【図５】図４の駆動制御部の一例を示すブロック図。
【図６】図４の表示装置に表示される画像の例を示す図。
【図７】加圧調整処理の手順の一例を示すフローチャート。
【図８】有効ストローク特定処理の手順の一例を示すフローチャート。
【発明を実施するための形態】
【００１５】
（ダイカストマシンの全体構成）
図１は、本開示の実施形態に係るダイカストマシン１の要部の構成を示す、一部に断面図を含む側面図である。
【００１６】
ダイカストマシン１は、凝固前（液状又は固液共存状態）の金属材料を金型１０１内（キャビティＣａ等の空間。以下同様。）へ射出し、金属材料を金型１０１内で凝固させることにより、ダイカスト品（成形品）を製造するものである。金属は、例えば、アルミニウム又はアルミニウム合金である。
【００１７】
金型１０１は、例えば、固定金型１０３及び移動金型１０５を含んでいる。本実施形態の説明では、便宜上、固定金型１０３又は移動金型１０５の断面を１種類のハッチングで示すが、これらの金型は、直彫り式のものであってもよいし、入れ子式のものであってもよい。また、固定金型１０３及び移動金型１０５には、中子などが組み合わされてもよい。
【００１８】
ダイカストマシン１は、例えば、成形のための機械的動作を行うマシン本体部３と、マシン本体部３の動作を制御する制御ユニット５とを有している。
【００１９】
マシン本体部３は、例えば、金型１０１の開閉及び型締めを行う型締装置７と、金型１０１内に凝固前の金属材料を射出する射出装置９と、ダイカスト品を固定金型１０３又は移動金型１０５（図１では移動金型１０５）から押し出す押出装置１１とを有している。マシン本体部３において、押出装置１１以外の構成（例えば型締装置７及び射出装置９の構成）は、基本的には（例えば押出装置１１の取付けに係る部分を除いて）、公知の種々の構成と同様とされてよい。
【００２０】
なお、射出装置９の説明においては、紙面左側（金型１０１側）を前方として前進等の用語を用いることがあり、押出装置１１の説明においては、紙面右側（金型１０１側）を前方として、前進等の用語を用いることがある。
【００２１】
成形サイクルにおいて、型締装置７は、移動金型１０５を固定金型１０３へ向かって移動させ、型閉じを行う。さらに、型締装置７は、タイバー（符号省略）の伸長量に応じた型締力を金型１０１に付与して型締めを行う。型締めされた金型１０１内には成形品と同一形状のキャビティＣａが構成される。射出装置９は、そのキャビティＣａへ凝固前の金属材料を射出・充填する。キャビティＣａに充填された凝固前の金属材料は、金型１０１に熱を奪われて冷却され、凝固する。これにより、成形品が形成される。その後、型締装置７は、移動金型１０５を固定金型１０３から離れる方向へ移動させて型開きを行う。この際又はその後、押出装置１１は、移動金型１０５から成形品を押し出す。
【００２２】
制御ユニット５は、例えば、各種の演算を行って制御指令を出力する制御装置１３（図４参照）と、画像を表示する表示装置１５と、オペレータの入力操作を受け付ける入力装置１７とを有している。また、別の観点では、制御ユニット５は、例えば、電源回路及び制御回路等を有する不図示の制御盤と、ユーザインターフェースとしての操作部１９とを有している。
【００２３】
制御装置１３は、例えば、不図示の制御盤及び操作部１９に設けられている。制御装置１３は、適宜に分割乃至は分散して構成されてよい。例えば、制御装置１３は、型締装置７、射出装置９及び押出装置１１毎の下位の制御装置と、この下位の制御装置間の同期を図るなどの制御を行う上位の制御装置とを含んで構成されてよい。
【００２４】
表示装置１５及び入力装置１７は、例えば、操作部１９に設けられている。操作部１９は、例えば、型締装置７の固定的部分に設けられている。表示装置１５は、例えば、液晶表示ディスプレイ乃至は有機ＥＬディスプレイを含んだタッチパネルによって構成されている。入力装置１７は、例えば、機械式のスイッチ及び前記のタッチパネルによって構成されている。
【００２５】
（金型及びその周辺の構成）
図２は、金型１０１及びその周辺の要部構成を示す模式図である。
【００２６】
型締装置７は、例えば、固定金型１０３を保持する固定ダイプレート２１と、移動金型１０５を保持する移動ダイプレート２３とを有している。移動ダイプレート２３は、固定ダイプレート２１に対向しており、固定ダイプレート２１に対して近接する方向及び離反する方向に移動可能である。この移動ダイプレート２３の移動によって、金型１０１の型閉じ及び型開きがなされる。
【００２７】
射出装置９は、例えば、金型１０１内に通じるスリーブ２５と、スリーブ２５内を摺動可能なプランジャ２７と、プランジャ２７を駆動する射出駆動部２９（図１）とを有している。スリーブ２５の上面には供給口２５ａが開口している。
【００２８】
型締装置７による金型１０１の型締めが完了すると、不図示の供給装置によって１ショット分の金属材料が供給口２５ａからスリーブ２５内へ供給される。そして、プランジャ２７が図示の位置からスリーブ２５内をキャビティＣａ側へ摺動することにより、スリーブ２５内の金属材料が金型１０１内に押し出される（射出される）。
【００２９】
（押出装置）
移動金型１０５は、内部に押出装置１１の一部を収容するための空間１０５ｓを有している。なお、空間１０５ｓを構成するダイベース１０５ａは、本開示においては、移動金型１０５の一部であるものとして言及する。空間１０５ｓの移動ダイプレート２３側の面は、図示のように移動金型１０５の一部によって構成されていてもよいし、図示とは異なり、移動ダイプレート２３の一部によって構成されていてもよい。
【００３０】
押出装置１１は、例えば、成形品を押すための複数の押出ピン３１と、複数の押出ピン３１を保持するための押出板３３と、押出ピン３１の移動に際して押出板３３を案内するためのガイドピン３５と、押出板３３を介して押出ピン３１に駆動力を付与するための押出ロッド３７及び押出駆動部３９とを有している。
【００３１】
キャビティＣａに射出された金属材料が凝固してダイカスト品が形成されると、型締装置７によって金型１０１の型開きが行われる。この際、金型１０１の形状、及びプランジャ２７によってダイカスト品を押し出す動作（押出追従）等に起因して、ダイカスト品は移動金型１０５に残留する。そして、押出ピン３１の先端（前端）を移動金型１０５の内面から突出させることによって、ダイカスト品が移動金型１０５の内面から離れる。
【００３２】
押出ピン３１は、例えば、概略、後端にフランジ部を有する軸状部材である。押出ピン３１は、移動金型１０５（より厳密にはダイベース１０５ａよりも前側の部分）に型開閉方向に挿通されており、移動金型１０５に対してその挿通方向に移動可能である。複数の押出ピン３１は、金型１０１内の形状（キャビティＣａだけでなく、ランナ等を含む空間の形状）等に応じて適宜な位置及び本数で設けられてよい。
【００３３】
押出板３３は、例えば、前側板３３ａと、前側板３３ａに対して後方に重ねられて固定されている後側板３３ｂとを有している。押出ピン３１は、例えば、前側板３３ａに挿通されるとともに、後端に設けられたフランジ部が前側板３３ａと後側板３３ｂとに挟まれることにより、前側板３３ａに固定されている。なお、押出板３３は、後側板３３ｂの前側板３３ａとは反対側に、後側板３３ｂに重なり、押出ロッド３７と固定される不図示の板を更に有する構成であってもよい。押出板３３は移動金型１０５の空間１０５ｓに収容されている。複数の押出ピン３１は、押出板３３に共通して固定されていることから、押出板３３の移動に伴って共に移動金型１０５に対して移動する。
【００３４】
ガイドピン３５は、例えば、その配置位置及び具体的な寸法を除いて、概略、押出ピン３１と同様の構成である。すなわち、ガイドピン３５の概略形状は、後端にフランジ部を有する軸状である。ガイドピン３５は、移動金型１０５（ダイベース１０５ａよりも前側の部分）に型開閉方向に挿通されており、移動金型１０５に対してその挿通方向に移動可能である。また、ガイドピン３５は、例えば、押出ピン３１と同様にして、後端のフランジ部が押出板３３に固定されている。複数のガイドピン３５は、例えば、押出ピン３１とは異なり、金型１０１の内部空間の外側に位置している。より詳細には、例えば、複数のガイドピン３５は、移動金型１０５の４隅に位置している。また、ガイドピン３５は、例えば、押出ピン３１よりも径が大きくされている。押出板３３に固定されたガイドピン３５（及び押出ピン３１）が移動金型１０５に対して型開閉方向に摺動可能に挿通されていることから、押出板３３は、型開閉方向の移動のみが許容されている。
【００３５】
押出ロッド３７は、移動ダイプレート２３に型開閉方向に挿通されており、移動ダイプレート２３に対して型開閉方向に移動可能である。押出ロッド３７の先端（紙面右側の端部）は、押出板３３に固定されている。従って、押出ロッド３７に対して軸方向の駆動力を付与することによって、押出板３３を前後方向に移動させることができる。複数の押出ロッド３７は、押出板３３の形状及び大きさ等に応じて適宜な位置及び本数で設けられてよい。
【００３６】
押出駆動部３９は、例えば、電動式のものであり、回転式の電動機４１と、電動機４１の回転を伝達する伝達機構４３と、伝達機構４３から伝達された回転を直線運動に変換する変換機構４５とを有している。
【００３７】
電動機４１は、特に図示しないが、界磁及び電機子の一方を構成するステータと、界磁及び電機子の他方を構成し、ステータに対して回転するロータとを有している。電動機４１は、適宜な形式のものとされてよく、例えば、直流電動機であってもよいし、交流電動機であってもよいし、同期電動機であってもよいし、誘導電動機であってもよい。電動機４１は、例えば、ステータを含むモータ本体が移動ダイプレート２３に対して固定的に設けられている。電動機４１の配置位置及び向きは適宜に設定されてよい。
【００３８】
伝達機構４３は、例えば、プーリベルト機構によって構成されており、電動機４１の出力軸に固定されたプーリ４７と、プーリ４７に掛けられたベルト４９と、ベルト４９が掛けられたプーリ５１とを有している。電動機４１の回転は、例えば、伝達機構４３によって電動機４１の軸心から離れた位置に伝達される。この際、伝達機構４３は、電動機４１の回転を変速してもよいし、変速しなくてもよい。
【００３９】
変換機構４５は、例えば、ねじ機構により構成されている。ねじ機構は、ボールねじ機構であってもよいし、すべりねじ機構であってもよい。変換機構４５は、例えば、移動ダイプレート２３に対して軸回りに回転可能かつ軸方向に移動不可能に支持されたねじ軸５３と、ねじ軸５３に螺合され、軸回りの回転が規制されたナット５５とを有している。ねじ軸５３にはプーリ５１が固定されている。従って、電動機４１の回転が伝達機構４３を介してねじ軸５３に伝達されると、ナット５５は軸方向に移動する。
【００４０】
ナット５５と押出ロッド３７とは適宜な部材によって互いに固定されている。変換機構４５の軸方向は、押出ロッド３７の軸方向及び型開閉方向と一致している。従って、ナット５５の軸方向の移動によって、押出ロッド３７はその軸方向（型開閉方向）に駆動され、ひいては、押出ロッド３７に固定されている押出板３３が型開閉方向に駆動される。
【００４１】
図３は、図２の一部拡大図である。
【００４２】
押出ピン３１、ガイドピン３５及び押出板３３の後退限は、例えば、押出板３３が空間１０５ｓの移動ダイプレート２３側の面（適宜なストッパ部材が設けられていてもよい）に当接することによって規定される。
【００４３】
押出板３３が後退限に位置しているとき、押出ピン３１の先端面は、移動金型１０５の内面（内部空間を構成する表面）から距離ｄ１で退避しており、ガイドピン３５の先端面は、金型１０１の合わせ面（固定金型１０３及び移動金型１０５の互いに当接する表面）から距離ｄ１で退避している。距離ｄ１は、複数の押出ピン３１及び複数のガイドピン３５において基本的に共通の長さである。
【００４４】
ここで、通常の押出装置においては、図３とは異なり、押出板３３が後退限に位置しているとき、押出ピン３１の先端面は、移動金型１０５の内面に一致し、ガイドピン３５の先端面は、金型１０１の合わせ面に一致する。そして、型閉じ中（型締中）においては、ガイドピン３５の先端が固定金型１０３の先端に当接することから、押出板３３の前進は規制され、ひいては、押出ピン３１は金型１０１内へ移動することはできない。
【００４５】
一方、本実施形態の押出装置１１においては、型締中においても、距離ｄ１で押出板３３、押出ピン３１及びガイドピン３５を前進させることができる。これにより、押出ピン３１によって、金型１０１内に射出された金属材料に対して局部加圧を行うことができる。また、押出ピン３１の先端面が移動金型１０５の内面に一致するまで押出ピン３１が前進することによって、成形品に意図しない凸部又は凹部が形成されるおそれが低減される。
【００４６】
押出装置１１は、押出ピン３１の位置を検出可能な位置センサ５７と、押出ピン３１が金属材料に付与した力を検出可能な力センサ５９とを有している。なお、力、圧力及びトルクは、基本的には互いに線形の関係にあるから、本開示においては、これらを区別しないことがある。例えば、力センサ５９は、圧力センサの一種と捉えられても構わない。
【００４７】
位置センサ５７は、例えば、不図示のスケール部とともに磁気式又は光学式のリニアエンコーダを構成している。位置センサ５７及びスケール部の一方は、移動金型１０５に対して固定的に設けられ、他方は、押出ピン３１に対して固定的に設けられている。そして、位置センサ５７及び／又は制御装置１３は、スケール部と位置センサ５７との相対的な移動量に応じた数で生成されるパルスを計数して押出ピン３１の位置を特定可能であり、また、単位時間当たりのパルスを計数して押出ピン３１の速度を特定可能である。
【００４８】
なお、図示の例では、位置センサ５７は、ダイベース１０５ａに設けられており、押出板３３に設けられた不図示のスケール部に対向している。ただし、位置センサ５７及びスケール部の一方は、移動金型１０５に対して固定的であればよいから、例えば、移動ダイプレート２３に設けられていてもよい。同様に、位置センサ５７及びスケール部の他方は、押出ピン３１に固定的であればよいから、例えば、押出ロッド３７、ガイドピン３５、押出ピン３１、押出ロッド３７よりも電動機４１側の部材に設けられてもよい。
【００４９】
力センサ５９は、例えば、押出ピン３１のいずれか（又は全部）に設けられたロードセルによって構成されている。ロードセルは、例えば、歪ゲージ式のものである。力センサ５９は、押出ピン３１に対して直列に設けられて押出ピン３１が受ける力と同じ力を受けてもよいし、押出ピン３１の周囲に設けられて押出ピン３１の歪から押出ピン３１が受けている力を算出するものであってもよい。制御装置１３は、力センサ５９からの検出信号と、予め入力されている押出ピン３１の断面積とに基づいて、押出ピン３１から金属材料に付与されている圧力を特定可能である。なお、複数の押出ピン３１に力センサ５９が設けられている場合においては、例えば、複数の力センサ５９の検出値の平均値を用いてよい。
【００５０】
なお、図示の例では、力センサ５９は、押出ピン３１に直接的に設けられている。ただし、力センサ５９は、押出板３３に設けられてもよい。この場合においては、圧力の算出に際して、押出ピン３１の本数の情報も利用される。また、力センサ５９は、押出ロッド３７に設けられてもよい。この場合においては、圧力の算出に際して、押出ピン３１の本数及び押出ロッド３７の本数の情報も利用される。力センサ５９は、更に電動機４１側に設けられてもよい。
【００５１】
（信号処理系の構成）
図４は、ダイカストマシン１の信号処理系の構成を示すブロック図である。この図は、主として押出装置１１の制御に関わる部分を図示している。
【００５２】
制御装置１３は、例えば、不図示のＣＰＵ及びメモリを含むコンピュータを含んで構成されており、ＣＰＵがメモリに記憶されているプログラムを実行することによって、種々の動作を実現する種々の機能部が構築される。種々の機能部は、例えば、押出ピン３１による局部加圧の条件を設定する条件設定部６１、電動機４１を制御する駆動制御部６３、及び表示装置１５を制御する表示制御部６５である。
【００５３】
条件設定部６１は、例えば、局部加圧の種々の条件に対応して種々の設定部を有している。例えば、条件設定部６１は、局部加圧の開始タイミングを設定する開始タイミング設定部６１ａ、局部加圧における押出ピン３１の前進速度を設定する速度設定部６１ｂ、及び局部加圧において押出ピン３１が金属材料に付与する圧力を設定する圧力設定部６１ｃを有している。これらの各種の設定部は、例えば、入力装置１７に対する入力操作に応じて（厳密には入力装置１７に対する入力操作に応じて入力装置１７から制御装置１３へ出力される信号に応じて）、種々の条件の値等を保持する。
【００５４】
局部加圧の開始タイミングは、完全に凝固する前の金属材料を押出ピン３１によって加圧できるものであればよい。金属材料の供給時の温度等の個々の事情を排除してダイカストマシン１の動作のみとの関係でいえば、開始タイミングは、最大限広く考えて、例えば、射出開始後（プランジャ２７の前進開始後）から型開き前までの間のいずれかのタイミングである。また、この開始タイミングは、例えば、プランジャ２７が所定の位置に到達したタイミングとされてもよいし、プランジャ２７の速度（射出速度）が所定の速度まで低下したタイミングとされてもよいし、プランジャ２７が成形材料に付与する圧力（射出圧力）が所定の圧力まで上昇したタイミングとされてもよいし、これらの各種のタイミング又は所定の動作タイミング（例えば射出開始タイミング）から所定の遅延時間が経過したタイミングとされてもよい。
【００５５】
入力装置１７には、例えば、開始タイミングの基準となる上記の所定の位置、所定の速度若しくは所定の圧力の値、及び／又は所定の遅延時間の値が入力される。開始タイミング設定部６１ａは、その入力された値を保持する。
【００５６】
押出ピン３１の速度は、一定となるように制御されてもよいし、多段変速されるように制御されてもよいし、適宜な速度曲線に沿うように制御されてもよい。入力装置１７には、例えば、その一定速度、多段速度又は速度曲線を指定する速度の目標値が入力される。速度設定部６１ｂは、その入力された値を保持する。
【００５７】
押出ピン３１が金属材料に付与する圧力は、例えば、所定の最終圧力になるように制御されてもよいし、所定の圧力曲線に沿うように制御されてもよい。入力装置１７には、例えば、上記の所定の最終圧力、又は所定の圧力曲線を特定するための情報が入力される。圧力曲線を特定するための情報は、例えば、上記の開始タイミング後の複数の時点、及びその複数の時点における目標圧力である。圧力設定部６１ｃは、入力された最終圧力の値、又は複数の時点と複数の目標圧力との組み合わせの値を保持する。
【００５８】
なお、局部加圧において、押出ピン３１の制御は、位置制御、速度制御及び圧力制御のいずれであってもよいし、これらの制御のうちのいずれか２つ以上の組み合わせであってもよいし、局部加圧中にこれらの制御が切り換えられてもよい。また、例えば、位置制御が基本的に行われつつ、速度及び圧力（電動機４１のトルク）が上限値を超えないように制御が行われてもよい。この場合、例えば、速度設定部６１ｂは速度の上限値を保持し、圧力設定部６１ｃは圧力の上限値を保持する。また、例えば、速度制御が基本的に行われつつ、圧力が上限値を超えないように制御が行われてもよい。この場合、例えば、速度設定部６１ｂは目標速度の値を保持し、圧力設定部６１ｃは圧力の上限値を保持する。また、例えば、圧力制御が基本的に行われつつ、速度が上限値を超えないように制御が行われてよい。この場合、例えば、圧力設定部６１ｃは、最終圧力、又は時点及び目標圧力の組み合わせの値を保持し、速度設定部６１ｂは速度の上限値を保持する。
【００５９】
駆動制御部６３は、条件設定部６１によって設定され保持されている値を参照し、その値に基づいて制御指令を生成し、生成した制御指令をドライバ６７を介して電動機４１に出力する。すなわち、駆動制御部６３は、入力装置１７に対する入力操作によって指定された条件（開始タイミング、速度及び／又は圧力）を実現するように電動機４１の制御を行う。当該制御は、例えば、位置センサ５７及び／又は力センサ５９の検出値に基づくフィードバック制御である。
【００６０】
なお、図示の例では、ドライバ６７は、サーボドライバによって構成されている。すなわち、ドライバ６７は、電動機４１の有する回転検出センサ４１ｓによって検出される位置及び／又は速度が駆動制御部６３からの制御指令に追従するようにフィードバック制御を行う。回転検出センサ４１ｓは、例えば、エンコーダ又はレゾルバである。
【００６１】
表示制御部６５は、例えば、位置センサ５７及び力センサ５９の検出値に基づいて、押出ピン３１の位置、速度及び圧力等を示す画像データを生成し、その画像データに基づく画像を表示装置１５に表示させるように映像信号を表示装置１５に出力する。なお、後述する動作から理解されるように、位置センサ５７及び力センサ５９の検出値は、表示制御部６５に加えて、又は代えて、条件設定部６１に入力されてもよい。
【００６２】
上記のように局部加圧の開始タイミングは、プランジャ２７の位置、射出速度又は射出圧力を基準として決定されてよい。これらは、公知の種々のダイカストマシンと同様に測定されてよい。図４では、プランジャ２７の位置を検出する位置センサ９１、及びプランジャ２７が金属材料に付与する圧力を検出する圧力センサ９３を例示している。
【００６３】
位置センサ９１は、例えば、プランジャ２７又は射出駆動部２９に設けられたリニアエンコーダによって構成されている。位置センサ９１及び／又は制御装置１３は、位置センサ９１からのパルスを計数してプランジャ２７の位置を特定可能であり、また、単位時間当たりのパルスを計数して射出速度を特定可能である。なお、射出駆動部２９が電動式である場合においては、電動機の回転検出センサ（例えばエンコーダ又はレゾルバ）が位置センサ９１として用いられてもよい。
【００６４】
圧力センサ９３は、例えば、射出駆動部２９が射出シリンダを含んで構成されている場合において、射出シリンダの油圧を計測する圧力センサである。制御装置１３は、圧力センサ９３の検出値、及びプランジャ２７の先端面の面積に基づいて射出圧力を特定可能である。なお、圧力センサ９３は、金型１０１に設けられ、金属材料の圧力を直接に検出するものであってもよい。射出駆動部２９が電動式である場合においては、電動機に供給される電力を検出する検出器と、電力から算出される負荷から射出圧力を算出する演算部とが圧力センサ９３として用いられてもよい。射出駆動部２９からプランジャ２７までのいずれかの位置に設けられたロードセルと、ロードセルの検出値から射出圧力を算出する演算部とが圧力センサ９３として用いられてもよい。
【００６５】
図５は、駆動制御部６３及び電動機４１を含む制御系のブロック図の一例を示す図である。
【００６６】
図示の制御系は、押出ピン３１が金属材料に付与する力（圧力）をフィードバック制御するための力制御ループ７１と、押出ピン３１の位置をフィードバック制御するための位置制御ループ７３とを有している。力制御ループ７１及び位置制御ループ７３は、マイナーループとして速度制御ループ７５を含み、かつ共用している。速度制御ループ７５の手前には、スイッチ７７が設けられており、力制御と位置制御とを切換可能となっている。
【００６７】
力制御ループ７１は、力指令Ｆ＊と計測された力Ｆとの偏差ＦｅにゲインＧｐｖを乗じて速度指令ω＊を生成する力制御部７９を有している。力制御部７９が生成した速度指令ω＊は、スイッチ７７を介して速度制御ループ７５に入力される。
【００６８】
位置制御ループ７３は、位置指令θ＊と計測された位置θとの偏差θｅにゲインＧｐを乗じて速度指令ω＊を生成する位置制御部８１を有している。位置制御部８１が生成した速度指令ω＊は、スイッチ７７を介して速度制御ループ７５に入力される。
【００６９】
速度制御ループ７５は、速度指令ω＊と計測された速度ωとの偏差ωｅにゲインＧｓを乗じてトルク指令Ｔｒ＊（電流指令）を生成する速度制御部８３を有している。速度制御部８３が生成したトルク指令Ｔｒ＊は、例えば、不図示の電流ループを介して電動機４１に入力される。
【００７０】
電動機４１は、トルク指令Ｔｒ＊及びイナーシャＪｍ等に応じた加速度αで回転する。加速度αの積分値である速度ωは速度制御部８３にフィードバックされる。なお、ｓはラプラス演算子である。速度ωの積分値である位置θは位置制御部８１にフィードバックされる。位置θ等に応じて生じる力Ｆは力制御部７９にフィードバックされる。なお、Ｋは位置・力換算係数である。
【００７１】
この例では、例えば、局部加圧は、力制御ループ７１が利用されて実現される。また、局部加圧以外の動作、例えば、押出ピン３１の後退は、位置制御ループ７３が利用されて実現される。成形品の取り出しのための押出ピン３１の前進は、力制御ループ７１が利用されてもよいし、位置制御ループ７３が利用されてもよい。
【００７２】
図５は、あくまで一例であり、適宜に変形されてよい。例えば、力制御ループ７１を利用して局部加圧をするときに速度ωが所定の速度を超えないように、ω＊を所定の値以下に制限する機能を追加してもよい。また、例えば、位置制御ループ７３を利用して局部加圧を行うようにし、この局部加圧において力Ｆが所定の力を超えないようにＴｒ＊を所定の値以下に制限する機能を追加してもよい。
【００７３】
（表示画像の例）
図６は、表示装置１５の画面に表示される画像１１１の一例を示す概略図である。
【００７４】
画像１１１において、横軸ｔは、時間軸である。縦軸は、種々の計測値の大きさを示している。そして、種々の線Ｌ０〜Ｌ６は、種々の計測値の経時変化を示している。
【００７５】
具体的には、線Ｌ０は、位置センサ９１の検出値に基づく射出速度を示している。線Ｌ１は、位置センサ９１の検出値に基づくプランジャ２７の位置（移動量）を示している。線Ｌ３は、圧力センサ９３の検出値に基づく射出圧力を示している。線Ｌ４は、力センサ５９の検出値に基づく押出ピン３１の加圧力（押出ピン３１が成形材料に付与する圧力）を示している。線Ｌ５は、位置センサ５７の検出値に基づく押出ピン３１の位置（移動量）を示している。線Ｌ６は、位置センサ５７の検出値に基づく押出ピン３１の速度を示している。
【００７６】
画像１１１においては、特に図示しないが、例えば、縦軸から水平方向に延びて線Ｌ０〜Ｌ６の描画領域を横断する複数の目盛線と、この複数の目盛線のいずれか又は全てに付された数値とが描かれ、オペレータは、任意の時点における計測値を読取可能となっている。また、特に図示しないが、画像１１１においては、例えば、横軸（時間軸）から垂直方向に延びて線Ｌ０〜Ｌ６の描画領域を縦断する複数の目盛線が描かれ、線Ｌ０〜Ｌ６間の時間的な対応関係を把握することが容易になっている。なお、この複数の目盛線のいずれか又は全てには、例えば、所定時期からの経過時間が付されている。
【００７７】
この図では、射出速度（Ｌ０）として、固液共存状態の金属材料を射出する場合のものが例示されている。具体的には、射出速度は、固液共存状態の金属材料がプランジャ２７によってスリーブ２５をある程度移動する間は比較的高速とされ、その後、低速とされている。なお、このような射出に代えて、液状の金属材料が低速射出及び高速射出によって射出されてもよいことはもちろんである。充填がある程度完了すると、射出速度は低下し、射出圧力（Ｌ３）が上昇する。射出圧力は、概ね一定の値に収束していく。
【００７８】
この図の例では、局部加圧の開始（押出ピン３１の前進開始）のタイミングは、プランジャ２７が停止（時点ｔ１）してから所定の遅延時間Ｔ１が経過したとき（時点ｔ２）とされている。遅延時間Ｔ１は、例えば、入力装置１７に対する操作によって設定されている。
【００７９】
時点ｔ２から押出ピン３１の速度（線Ｌ６）は上昇する。例えば、概して言えば、押出ピン３１の速度は概ね一定の加速度で上昇していく。その後、この速度は、速度設定部６１ｂが保持している値に収束してもよいし、電動機４１の性能及び負荷によって定まる値に収束してもよいし、そのような収束が生じる前に金属材料から受ける力によって減速してもよい。最終的には、押出ピン３１が金属材料から受ける力によって、及び／又はガイドピン３５が固定金型１０３に当接することによって、押出ピン３１は減速され、停止する（時点ｔ４）。押出ピン３１の速度変化の一部又は全部は、電動機４１の速度制御によって実現されてもよいし、電動機４１の位置制御又は圧力制御の結果として生じてもよい。
【００８０】
また、時点ｔ２から押出ピン３１の移動量（線Ｌ５）は上昇する。その上昇する曲線は、上記の速度を反映したものとなる。
【００８１】
押出ピン３１の加圧力（線Ｌ４）は、図示の例では、時点ｔ２では上昇を開始せず、又は上昇の変化率が小さく、時点ｔ２から遅れた時点ｔ３において、上昇を開始し、又は上昇の変化率が大きくなる。そして、加圧力は、一定の値に収束していく。この収束は、例えば、圧力設定部６１ｃが保持している目標値に検出圧力を近づけようとする圧力制御によって実現される。また、例えば、電動機４１の位置制御によって押出ピン３１を前進限よりも前方に移動させようとすることによって、圧力設定部６１ｃが保持している加圧力の上限値に加圧力が到達することによって実現されてもよい。
【００８２】
（有効ストローク）
上記のように、加圧力（線Ｌ４）の上昇又は当該上昇の変化率の増大は、押出ピン３１の前進開始（時点ｔ２）に遅れて開始される（時点ｔ３）。また、その前後のタイミングにおいては、押出ピン３１の速度（線Ｌ６）に振動が生じている。
【００８３】
このような現象は、例えば、金属材料の凝固状態の影響によって生じる。具体的には、押出ピン３１の前進開始直後においては、金属材料の凝固があまり進んでいないことから、押出ピン３１は大きな抵抗を受けずにスムーズに前進することができ、ひいては、時間に対して線形に前進する。一方、金属材料の凝固が進むと、押出ピン３１は比較的大きな抵抗を受けることとなり、時間に対して非線形で前進する。
【００８４】
また、押出ピン３１の位置を検出する位置センサ５７は、厳密には、押出板３３の位置を検出している。従って、例えば、押出ピン３１と押出板３３との間に遊びが存在したり、押出ピン３１が歪んだりすれば、その分だけ、押出ピン３１が圧力を受けるタイミングは、位置センサ５７が検出する位置及び速度の立ち上がりのタイミングに遅れる。また、図３とは異なり、例えば、位置センサ５７が押出ロッド３７の位置を検出するものであれば、押出ロッド３７と押出板３３との間の遊び等の分だけ、押出ピン３１が圧力を受けるタイミングは、位置センサ５７が検出する位置及び速度の立ち上がりのタイミングに遅れる。押出ロッド３７よりも更に後方に位置センサ５７を設けたり、電動機４１の回転検出センサ４１ｓを位置センサ５７として用いたりした場合は、更に遊び等が増加する。このような事情も、時点ｔ２と時点ｔ３とのずれに影響している。
【００８５】
ここで、押出ピン３１の前進が非線形になってから押出ピン３１が停止するまでの移動量（時点ｔ３からｔ４までの移動量）を有効ストロークＳｔｋ１というものとする。有効ストロークＳｔｋ１は、押出ピン３１の加圧力が所定の閾値を超えてからの押出ピン３１の移動量であると捉えられてもよい。所定の閾値は、図示の例では、概ね０とされている。ただし、所定の閾値は、０よりも大きくてもよい。
【００８６】
画像１１１は、押出ピン３１の位置、速度及び加圧力（線Ｌ４〜Ｌ６）を共通の時間軸に沿って表示していることから、オペレータは、画像１１１を見て、有効ストロークＳｔｋ１を特定することができる。なお、オペレータは、押出ピン３１の位置及び加圧力（線Ｌ５及びＬ４）のみから有効ストロークＳｔｋ１を特定することも可能であるし、押出ピン３１の位置及び速度（線Ｌ５及びＬ６）のみから有効ストロークＳｔｋ１を特定することも可能である。
【００８７】
また、制御装置１３は、押出ピン３１の速度及び加圧力の少なくとも一方から有効ストロークＳｔｋ１の開始位置を判定することによって、有効ストロークを特定してよい。そして、制御装置１３は、有効ストロークＳｔｋ１を数値で表示する画像１１３を画像１１１内に含めてもよい。
【００８８】
ここで、例えば、局部加圧によってひけ巣を減少させるためには、ひけ巣の発生に追従しながら押出ピン３１が前進することが重要になる。そのような追従が好適になされた場合、発生した（その一部又は全部は最終的には消滅した）ひけ巣の全量と、ひけ巣が発生し始めてから押出ピン３１が金属材料を押した体積とは一致する。ひけ巣が発生し始めてから押出ピン３１が金属材料を押した体積は、金属材料が凝固して押出ピン３１の前進が非線形になったタイミングからの押出ピン３１の移動量（すなわち有効ストローク）と強い相関がある。一方、ひけ巣の量は、金型形状から予測することが可能である。
【００８９】
従って、例えば、予め金型形状からひけ巣の量を予測し、そのひけ巣の量に対応する有効ストロークＳｔｋ１の目標値を特定しておくことにより、オペレータ又は制御装置１３は、有効ストロークＳｔｋ１の計測値と目標値とを比較して、局部加圧の条件の良否を判定することができる。例えば、有効ストロークＳｔｋ１について、計測値が目標値よりも小さければ、ひけ巣が残っている蓋然性が高く、また、計測値が目標値よりも大きければ、過大な局部加圧によってひけ巣以外の不都合が生じている蓋然性が高い。そして、オペレータ又は制御装置１３は、局部加圧の条件を変更して、局部加圧が好適になされるようにすることができる。
【００９０】
このとき変更される条件は、例えば、遅延時間Ｔ１、押出ピン３１の速度（目標値又は上限値）、及び／又は加圧力（目標値又は上限値）である。いずれの条件がどのように影響するかは、時点ｔ２、ｔ３及びｔ４（若しくはこれらに対応する位置）の相対関係及びその要因等に依存する。従って、個々の状況に応じて適宜に条件を変更してよい。
【００９１】
例えば、図６の例において、ガイドピン３５によって規定される前進限に到達する前に、押出ピン３１の加圧力の計測値が目標値又は上限値に到達して時点ｔ４で押出ピン３１が停止したとする。この場合、例えば、遅延時間Ｔ１を長くすると、凝固がより進んでから押出ピン３１が前進を開始することになるから、有効ストロークＳｔｋ１は短くなる蓋然性が高い。また、例えば、加圧力の目標値又は上限値を大きくすれば、有効ストロークＳｔｋ１は長くなる蓋然性が高い。
【００９２】
また、例えば、時点ｔ２から時点ｔ３までの遅れが溶湯の凝固の遅れによるものであり、かつ加圧力の目標値又は上限値が十分に大きく設定されており、時点ｔ４で押出ピン３１がガイドピン３５によって規定される前進限に到達しているとする。この場合、例えば、遅延時間Ｔ１を長くすれば、溶湯が凝固する前の移動量が減り、有効ストロークＳｔｋ１は長くなる蓋然性が高い。また、例えば、速度を高くすると溶湯が凝固する前の移動量が増加して、有効ストロークＳｔｋ１は短くなる蓋然性が高い。
【００９３】
また、例えば、時点ｔ２から時点ｔ３までの遅れが位置センサ５７によって位置が計測される部材から押出ピン３１（別の観点では力センサ５９）までの遊びによるものであり、かつ時点ｔ４で押出ピン３１がガイドピン３５によって規定される前進限に到達しているとする。この場合、例えば、速度を高くすると遊びを解消するまでの時間が短くなり、有効ストロークＳｔｋ１は長くなる蓋然性が高い。
【００９４】
（処理手順）
図７は、制御装置１３が実行する加圧調整処理の手順の一例を示すフローチャートである。なお、このフローチャートは、オペレータが実行する手順として捉えられてもよい。この処理は、例えば、成形サイクルが繰り返し行われている場合において、１又は所定回数の成形サイクル毎に実行される。
【００９５】
ステップＳ１では、制御装置１３は、位置センサ５７及び力センサ５９の検出結果に基づいて有効ストロークＳｔｋ１の計測値を特定する。
【００９６】
ステップＳ２では、制御装置１３は、予め設定されている、又は入力された金型情報等から自らが算出した有効ストロークＳｔｋ１の目標値と、ステップＳ１で特定した有効ストロークＳｔｋ１の計測値との誤差を算出する。そして、制御装置１３は、その誤差が許容範囲内か否か判定し、許容範囲内でないと判定したときはステップＳ３に進み、許容範囲内でないと判定したときはステップＳ３に進む。
【００９７】
ステップＳ３では、制御装置１３は、局部加圧の条件を変更する。変更される条件は、例えば、局部加圧の開始タイミング（押出ピン３１の前進開始タイミング）、押出ピン３１の速度及び押出ピンの加圧力の少なくともいずれか一つである。
【００９８】
なお、上述のように、局部加圧の条件は、個々の事情に応じて適宜に変更される。いくつかの条件又は制御を限定すれば、条件変更と結果との因果も簡素になり、制御装置１３による条件変更も可能になる。例えば、加圧力の目標値又は上限値が十分に大きく設定され、押出ピン３１が必ずガイドピン３５によって規定される前進限に到達することを前提条件とする。この場合、例えば、遅延時間Ｔ１を常識的な範囲で長くすると、凝固開始後の押出ピン３１の移動量が長くなり（凝固開始前の移動量が減り）、ひいては、有効ストロークＳｔｋ１が長くなる。
【００９９】
図８は、制御装置１３が実行する有効ストローク特定処理の手順の一例を示すフローチャートである。この処理は、例えば、図７のステップＳ１において実行される。なお、この図では、便宜上、有効ストロークの特定のための手順だけでなく、局部加圧の手順の一部も示している。
【０１００】
ステップＳ１１では、制御装置１３は、加圧開始条件が満たされたか否か判定し、満たされたと判定したときはステップＳ１２に進み、満たされていないと判定したときは、待機する（ステップＳ１１を繰り返す。）。加圧開始条件（加圧開始タイミング）は、図４を参照して説明したように、適宜に設定されてよい。
【０１０１】
ステップＳ１２では、制御装置１３は、押出ピン３１を前進させるように電動機４１の駆動制御を開始する。
【０１０２】
ステップＳ１３では、制御装置１３は、力センサ５９の検出値に基づいて押出ピン３１の加圧力が所定の閾値を超えたか否か判定し、超えたと判定したときはステップＳ１４に進み、超えていないと判定したときは待機する（ステップＳ１３を繰り返す。）。
【０１０３】
ステップＳ１４では、制御装置１３は、位置センサ５７の検出値に基づいて押出ピン３１の移動量の計測を開始する。具体的には、例えば、位置センサ５７がリニアエンコーダであれば、ステップＳ１３で肯定判定がなされてから位置センサ５７から出力されるパルスを計数していく。
【０１０４】
ステップＳ１５では、制御装置１３は、位置センサ５７の検出値に基づいて押出ピン３１が停止したか否か判定する。例えば、位置センサ５７がリニアエンコーダであれば、制御装置１３は、位置センサ５７から所定時間に亘ってパルスが出力されなかったときに、押出ピン３１が停止したと判定する。そして、制御装置１３は、停止したと判定したときはステップＳ１６に進み、停止していないと判定したときは待機する（ステップＳ１５を繰り返す。）。
【０１０５】
ステップＳ１６では、制御装置１３は、押出ピン３１の移動量の計測を終了する。そして、ステップＳ１４からＳ１６までに計測された押出ピン３１の移動量を有効ストロークＳｔｋ１として、表示装置１５における数値表示、またはステップＳ３の変更に利用する。
【０１０６】
以上のとおり、本実施形態のダイカストマシン１は、金型１０１の内部に対して共に進退可能な複数の押出ピン３１と、複数の押出ピン３１を駆動可能な電動機４１と、複数の押出ピン３１の位置を検出可能な位置センサ５７と、複数の押出ピン３１が金型内部の成形材料に付与する圧力を検出可能な力センサ５９と、画像を表示可能な表示装置１５と、電動機４１及び表示装置１５を制御する制御装置１３と、を有している。制御装置１３は、射出開始後かつ型開き前に複数の押出ピン３１を金型１０１の内部側へ前進させる駆動力を生じるように電動機４１を制御する駆動制御部６３と、位置センサ５７が検出した位置と力センサ５９が検出した圧力とを共通の時間軸に沿って表示するように表示装置１５を制御する表示制御部６５と、を有している。
【０１０７】
従って、既述のように、オペレータは、表示された画像１１１に基づいて、有効ストロークＳｔｋ１を特定し、局部加圧の条件の良否判定を行うことができる。その結果、局部加圧の有効活用が容易化される。ここで、押出ピン３１は、通常、複数設けられる。従って、局部加圧に専用の加圧ピンを設ける場合に比較して、有効ストロークＳｔｋ１の監視が特に重要になる。局部加圧を行った体積の誤差は、有効ストロークＳｔｋ１の誤差に押出ピン３１の本数を乗じた大きさになるからである。ただし、本開示における有効ストロークＳｔｋ１を利用する技術は、専用の加圧ピンを設けた構成に適用されてもよい。
【０１０８】
本開示の技術は、以上の実施形態に限定されず、種々の態様で実施されてよい。
【０１０９】
成形機（成形機）は、ダイカストマシンに限定されない。例えば、成形機は、他の金属成形機であってもよいし、樹脂を成形する射出成形機であってもよいし、木粉に熱可塑性樹脂等を混合させた材料を成形する成形機であってもよい。また、成形機は、横型締横射出に限定されず、例えば、縦型締縦射出、横型締縦射出、縦型締横射出であってもよい。
【０１１０】
実施形態では、押出ピン３１の位置を検出するセンサとして、押出板３３の位置を検出するセンサが設けられ、また、押出ピン３１に代えて、押出ピン３１に固定的な他の部材の位置が検出されてよいことにも言及した。ただし、そのようなセンサが設けられず、電動機４１の回転を検出する回転検出センサ４１ｓが位置センサとして利用されてもよい。また、電動機４１から押出ロッド３７に至る適宜な部材の直線位置又は回転位置を検出するセンサが用いられてもよい。
【０１１１】
また、本開示において、位置の検出又は表示という場合、位置と線形な関係にある物理量の検出又は表示を含んでよいものとする。例えば、押出ピンの位置（移動量）と、複数の押出ピンが金属材料を押した体積とは線形の関係にある。従って、例えば、複数の押出ピンが金属材料を押した体積（押出ピンの移動量に押出ピンの断面積と本数とを乗じた値）を時間軸に沿って表示することも、押出ピンの位置を時間軸に沿って表示することに含まれる。同様に、圧力が所定の閾値以上となってから複数の押出ピンが金属材料を押した体積の数値表示は、圧力が所定の閾値以上となってからの押出ピンの移動量（有効ストローク）の数値表示に含まれる。
【０１１２】
実施形態では、押出ピン３１が成形材料に付与する力（圧力）を検出するセンサとして、押出ピン３１が受ける力を検出する力センサ５９（ロードセル）が設けられ、また、押出ピン３１に代えて、押出ピン３１に固定的（遊びがある場合も含む）な部材が受ける力が検出されてよいことにも言及した。ただし、そのようなセンサが設けられず、電動機４１に供給される電力を検出する検出器及び当該検出器の検出した電力から負荷（トルク）を算出する演算部が力センサとして用いられてもよい。電動機４１から押出ロッド３７に至る適宜な部材が受ける力又はトルクを検出するセンサが用いられてもよい。押出ピン３１の先端に金属材料の圧力を検出する圧力センサを設けてもよい。
【０１１３】
また、圧力の検出又は表示という場合、圧力と線形な関係にある物理量の検出又は表示を含んでよいものとする。例えば、上記の説明とも重複するが、電動機のトルク、当該トルクが直線運動に変換されて各部材に伝達された力、及び押出ピンが成形材料に付与する圧力は線形の関係にある。従って、例えば、そのようなトルク及び力の検出又は表示は、圧力の検出又は表示に含まれる。
【０１１４】
実施形態では、回転式の電動機４１の駆動力を押出ピンに伝達する機構として、プーリベルト機構からなる伝達機構４３と、ねじ機構からなる変換機構４５とを例示した。ただし、伝達機構は、プーリベルト機構に代えて、歯車機構等の他の機構によって構成されてもよいし、伝達機構が設けられず、電動機４１の回転が直接的に変換機構４５に伝達されてもよい。また、変換機構は、ねじ機構に代えて、リンク機構又はラックピニオン機構等の他の機構によって構成されてもよい。ねじ機構のねじ及びナットの役割（いずれが押出ピンとともに直線運動するか）は、実施形態とは逆であってもよい。回転式の電動機に代えてリニアモータが用いられ、変換機構が省略されてもよい。
【０１１５】
実施形態ではフィードバック制御が行われたが、一部又は全部においてオープン制御が行われてもよい。
【符号の説明】
【０１１６】
１…ダイカストマシン（成形機）、１３…制御装置、１５…表示装置、４１…電動機、５７…位置センサ、５９…力センサ、６３…駆動制御部、６５…表示制御部、１０１…金型。
【図１】
2018079485.tif 000003
【図２】
2018079485.tif 000004
【図３】
2018079485.tif 000005
【図４】
2018079485.tif 000006
【図５】
2018079485.tif 000007
【図６】
2018079485.tif 000008
【図７】
2018079485.tif 000009
【図８】
2018079485.tif 000010